(57)【要約】【課題】ユーザにとって有用なキーワードを提示することのできる技術を実現する。【解決手段】ＴＶ受信機（１０）における視聴状況を示す視聴状況情報を取得するチャンネル情報取得部（２２１）と、取得した視聴状況情報によって定まる番組に関連するキーワードを外部から取得する番組関連情報取得部（２２２）と、取得したキーワードをＴＶ受信機（１０）に送信するページ作成部（２２３）とを備える情報提供装置（２０）。【選択図】図６
2015231208.tif 000002
【特許請求の範囲】
【請求項１】
受信装置におけるコンテンツの視聴状況を示す視聴状況情報を取得する視聴状況取得手段と、
上記視聴状況取得手段が取得した視聴状況情報によって定まるコンテンツに関連するキーワードを取得するキーワード取得手段と、
上記キーワード取得手段が取得したキーワードを上記受信装置に送信するキーワード送信手段と、
を備えることを特徴とする情報提供装置。
【請求項２】
上記キーワード取得手段は、
外部から上記キーワードを取得する
ことを特徴とする請求項１に記載の情報提供装置。
【請求項３】
上記キーワード取得手段が取得したキーワードを検索条件とする検索結果を取得する検索結果取得手段と、
上記検索結果取得手段が取得した検索結果を上記受信装置に送信する検索結果送信手段と、
をさらに備えることを特徴とする請求項１または２に記載の情報提供装置。
【請求項４】
上記検索結果送信手段は、
上記キーワード取得手段が取得したキーワードに関連する包括的なキーワードを上記検索結果とともに上記受信装置に送信する
ことを特徴とする請求項３に記載の情報提供装置。
【請求項５】
上記検索結果送信手段は、
上記包括的なキーワードをポップアップ表示する指示を含んだページデータを上記受信装置に送信する
ことを特徴とする請求項４に記載の情報提供装置。
【請求項６】
上記受信装置に固有の受信装置ＩＤと、当該受信装置のユーザが所定のサイトにログインするためのユーザＩＤとを対応付けて管理する管理手段と、
上記受信装置から取得した受信装置ＩＤに対応するユーザＩＤを用いて上記所定のサイトに対する自動ログインを実行する自動ログイン実行手段と、
をさらに備えることを特徴とする請求項３から５のいずれか一項に記載の情報提供装置。
【請求項７】
上記キーワード取得手段は、
上記視聴状況情報を、コンテンツに関連するコンテンツ関連情報を記憶するコンテンツ関連情報サーバに送信し、
上記コンテンツ関連情報サーバから上記視聴状況情報によって定まる上記コンテンツ関連情報を上記キーワードとして受信する
ことを特徴とする請求項１から６のいずれか一項に記載の情報提供装置。
【請求項８】
上記コンテンツは、放送番組であり、
上記キーワード取得手段は、
上記受信装置が電子番組情報から抽出した番組関連情報であって、上記視聴状況情報によって定まるテレビ番組に関する番組関連情報を上記キーワードとして受信する
ことを特徴とする請求項１から６のいずれか一項に記載の情報提供装置。
【請求項９】
上記コンテンツは、放送番組であり、
上記視聴状況取得手段は、
放送中の番組が視聴されている場合に、放送局および現在の日時を含む視聴状況情報を取得し、
録画された番組が視聴されている場合に、放送局および当該番組の放送日時を含む視聴状況情報を取得する
ことを特徴とする請求項１から８のいずれか一項に記載の情報提供装置。
【請求項１０】
受信装置におけるコンテンツの視聴状況を示す視聴状況情報を取得する視聴状況取得ステップと、
上記視聴状況取得ステップにおいて取得した視聴状況情報によって定まるコンテンツに関連するキーワードを取得するキーワード取得ステップと、
上記キーワード取得ステップにおいて取得したキーワードを上記受信装置に送信するキーワード送信ステップと、
を含むことを特徴とする情報提供方法。
【請求項１１】
コンピュータを情報提供装置として機能させるためのプログラムであって、
受信装置におけるコンテンツの視聴状況を示す視聴状況情報を取得する視聴状況取得ステップと、
上記視聴状況取得ステップにおいて取得した視聴状況情報によって定まるコンテンツに関連するキーワードを取得するキーワード取得ステップと、
上記キーワード取得ステップにおいて取得したキーワードを上記受信装置に送信するキーワード送信ステップと、
を実行させるためのプログラム。
【請求項１２】
コンテンツを視聴可能な受信装置と、
上記コンテンツに関連する情報を上記受信装置に提供する情報提供装置と、
を備え、
上記情報提供装置は、
上記受信装置における視聴状況を示す視聴状況情報を取得する視聴状況取得手段と、
上記視聴状況取得手段が取得した視聴状況情報によって定まるコンテンツに関連するキーワードを取得するキーワード取得手段と、
上記キーワード取得手段が取得したキーワードを上記受信装置に送信するキーワード送信手段と、
を備え、
上記受信装置は、
上記視聴状況情報を上記情報提供装置に送信する視聴状況送信手段と、
上記情報提供装置から上記キーワードを受信するキーワード受信手段と、
上記キーワード受信手段が受信したキーワードを表示するキーワード表示手段と、
を備えることを特徴とする通信システム。
【請求項１３】
受信装置におけるコンテンツの視聴状況を示す視聴状況情報を送信する視聴状況送信手段と、
上記視聴状況情報によって定まるコンテンツに関連するキーワードを取得するキーワード取得手段と、
上記キーワード取得手段が取得したキーワードを表示するキーワード表示手段と、
を備えることを特徴とする受信装置。
【請求項１４】
上記キーワード取得手段が取得したキーワードを検索条件とする検索結果を取得する検索結果取得手段と、
上記検索結果取得手段が取得した検索結果を表示する検索結果表示手段と、
をさらに備えることを特徴とする請求項１３に記載の受信装置。
【請求項１５】
上記検索結果取得手段は、
上記検索結果を取得するサイトにログインするためのログイン情報を保持し、
上記サイトに再度ログインする際には、上記ログイン情報を使用する
ことを特徴とする請求項１４に記載の受信装置。
【請求項１６】
上記検索結果取得手段は、
上記検索結果表示手段が表示したキーワードが選択されたときに、
当該選択されたキーワードを条件とする検索結果を取得する
ことを特徴とする請求項１４または１５に記載の受信装置。
【請求項１７】
上記検索結果表示手段は、
上記キーワード取得手段が取得したキーワードに関連する包括的なキーワードを表示する
ことを特徴とする請求項１４から１６のいずれか一項に記載の受信装置。
【請求項１８】
上記検索結果表示手段は、
上記包括的なキーワードを含むポップアップウィンドウをポップアップ表示する
ことを特徴とする請求項１７に記載の受信装置。
【請求項１９】
上記検索結果取得手段は、
上記検索結果表示手段が表示した包括的なキーワードが選択されたときに、
当該包括的なキーワードを検索条件とする検索結果を取得する
ことを特徴とする請求項１７または１８に記載の受信装置。
【請求項２０】
上記検索結果表示手段は、
上記包括的なキーワードとともに、上記表示した検索結果を検索するために用いたキーワードを表示する
ことを特徴とする請求項１７から１９のいずれか一項に記載の受信装置。
【請求項２１】
コンピュータを受信装置として機能させるためのプログラムであって、
コンピュータに、
受信装置におけるコンテンツの視聴状況を示す視聴状況情報を送信する視聴状況送信ステップと、
上記視聴状況情報によって定まる番組に関連するキーワードを取得するキーワード取得ステップと、
上記キーワード取得ステップにおいて取得したキーワードを表示するキーワード表示ステップと、
を実行させるためのプログラム。
【発明の詳細な説明】
【技術分野】
【０００１】
本発明は、視聴中の番組に関連する情報を表示するシステムに関する。
【背景技術】
【０００２】
昨今、テレビ番組を単に視聴するだけではなく、視聴中のテレビ番組に関連する情報を同時に参照するような視聴スタイルが拡大している。例えば、テレビ番組を視聴しながら、モバイル端末（スマートフォンなど）を使用して気になるキーワードを検索したり、ＳＮＳ（Social Networking Service）を利用して番組の感想をリアルタイムに共有したりすることが行われている。
【０００３】
上記の視聴スタイルを１台の装置で実現すべく、特許文献１には、視聴中の放送番組データ中に出現する様々な情報の中で、ユーザが気になった話題、言葉などに関するキーワードのリストを、各キーワードの大まかな意味をユーザが視覚的に把握し易く表示する情報処理装置が開示されている。具体的には、図７に、情報処理装置（コンピュータ）の画面にＴＶ視聴ウィンドウ、キーワードリスト、検索結果ページを表示する例が記載されている。
【先行技術文献】
【特許文献】
【０００４】
【特許文献１】特開２０１３−１７６０８９号公報（２０１３年９月５日公開）
【発明の概要】
【発明が解決しようとする課題】
【０００５】
しかしながら、特許文献１の情報処理装置には、ユーザにとって有用なキーワードを提示するという観点において課題がある。
【０００６】
本発明は、上記課題に鑑みてなされたものであり、ユーザにとって有用なキーワードを提示することのできる技術を実現することを主たる目的とする。
【課題を解決するための手段】
【０００７】
上記課題を解決するために、本発明の一態様に係る情報提供装置は、受信装置におけるコンテンツの視聴状況を示す視聴状況情報を取得する視聴状況取得手段と、上記視聴状況取得手段が取得した視聴状況情報によって定まるコンテンツに関連するキーワードを取得するキーワード取得手段と、上記キーワード取得手段が取得したキーワードを上記受信装置に送信するキーワード送信手段と、備えることを特徴とする。
【発明の効果】
【０００８】
上記の構成によれば、ユーザにとって有用なキーワードを提示することができる。
【図面の簡単な説明】
【０００９】
【図１】本発明の実施形態１に係る通信システムの構成の概要を示す図である。
【図２】本発明の実施形態１に係るＴＶ受信機の画面の一例を示す図であり、特に、ウェブページの放送中タブの画面（投稿サイトログイン後の最初の画面）を示す。
【図３】本発明の実施形態１に係るＴＶ受信機の画面の一例を示す図であり、特に、ウェブページの放送中タブの画面（ポップアップウィンドウが消去された画面）を示す。
【図４】本発明の実施形態１に係るＴＶ受信機の画面の一例を示す図であり、特に、ウェブページの検索タブの画面を示す。
【図５】本発明の実施形態１に係るＴＶ受信機の構成の概略を示す機能ブロック図である。
【図６】本発明の実施形態１に係るポータルサーバの構成の概略を示す機能ブロック図である。
【図７】本発明の実施形態１に係る検索ワード対応テーブルの構成例を示す図である。
【図８】本発明の実施形態１に係る連携サーバの構成の概略を示す機能ブロック図である。
【図９】本発明の実施形態１に係る連携サーバの記憶部に記憶される番組情報の一例を示す図である。
【図１０】本発明の実施形態１に係る連携サーバの記憶部に記憶される関連情報の一例を示す図である。
【図１１】本発明の実施形態１に係る通信システムのハードウェア構成の概略を示すブロック図である。
【図１２】本発明の実施形態１に係る通信システムの処理の流れを示すシークエンス図である。
【図１３】本発明の実施形態２に係る通信システムの処理の流れを示すシークエンス図である。
【図１４】本発明の実施形態３に係る自社ポータル・投稿サイトの登録画面の遷移を示すフローチャートである。
【図１５】図１４の画面遷移に関するユーザのケース分けを示す図である。
【図１６】図１５に示すケース（１）の実際の画面遷移を示す図である。
【図１７】図１５に示すケース（２）の実際の画面遷移を示す図である。
【図１８】図１５に示すケース（３）の実際の画面遷移を示す図である。
【図１９】本発明の実施形態３に係るテレビＩＤとユーザＩＤとを対応付けるＩＤ対応テーブルを示す図である。
【発明を実施するための形態】
【００１０】
以下、本発明の実施の形態について、詳細に説明する。ただし、この実施形態に記載されている構成は、特に特定的な記載がない限り、この発明の範囲をそれのみに限定する趣旨ではなく、単なる説明例に過ぎない。
【００１１】
なお、本明細書におけるコンテンツとは、放送番組、録画番組、ＤＶＤ、ストリーミング配信される動画などを含む。以下では、主として、コンテンツが放送番組である場合を例にして説明するが、これは以下の実施形態を限定するものではない。
【００１２】
≪実施形態１≫
まず、本発明の実施形態１に係る通信システム１について説明する。本発明の実施形態１において、ポータルサーバ（情報提供装置）は、ＴＶ受信機（受信装置）から視聴状況情報を取得し、当該視聴状況情報によって定まる番組に関連するキーワードを、ポータルサーバに保存されたテーブルや、外部のサーバ（例えば、呟き掲示板やＳＮＳ（Social Networking Service）を管理するサーバ、連携サーバなど）から取得し、取得したキーワードを含むＷＥＢコンテンツをＴＶ受信機に送信する。ここで、本実施形態における視聴状況情報には、リアルタイムな放送データ（現在ユーザが視聴している番組を含む）のチャンネル情報が含まれる。また、ＴＶ受信機は、上記キーワードを検索条件として外部のサーバに対して検索要求を送信する。外部サーバは、その検索要求に基づいて検索し、検索結果をテレビ受信機に送信し、テレビ受信機は、その検索結果を取得し、ＷＥＢコンテンツに記述された場所に表示する。
【００１３】
より具体的には、ポータルサーバは、チャンネル情報を用いて特定される放送局に対する放送局名と、検索に用いるキーワードを内部に保持するテーブルから取得し、さらに、番組についての放送局名、番組名、出演者及び関連情報などの情報を連携サーバ（コンテンツ関連情報サーバ）から取得し、当該情報からキーワードを抽出し、当該キーワードを含むＷＥＢコンテンツをＴＶ受信機に送信する。この時、検索に用いるキーワードは、表示されない情報として通知してもよい。そして、そのＷＥＢコンテンツを受信した、ＴＶ受信機は、当該キーワードにより外部サーバに対して検索要求を送信する。外部サーバは、その検索要求に基づいて検索し、検索結果をテレビ受信機に送信し、テレビ受信機は、検索結果を外部サーバから取得し、当該検索結果をＷＥＢコンテンツに記述された場所に表示する。
【００１４】
なお、実施形態１は、電子投稿サイトにログインしていることを前提とするが、提供するサービスで利用する外部サーバの仕様によっては、電子投稿サイトへのログインをしていなくてもよい。また、電子投稿サイトにログインをして、サービスとして連動するケースに関しては、そのサービスインの方法について、実施形態３で記載する。また、キーワードによる検索対象となる外部のサイトは、電子投稿サイトやＳＮＳに限定されるものではなく、例えば、ニュース、地域情報、天気情報などを含む関連サイトであってもよい。
【００１５】
なお、本実施形態では、外部サーバとの通信をＴＶ受信機が実施しているが、ポータルサーバが実施する構成としてもよい。この場合、検索結果をポータルサーバが受けて、検索結果情報を含むＷＥＢコンテンツを、ＴＶ受信機に送信し、ＴＶ受信機がそれを受信し、表示する処理となる。
【００１６】
〔システムの構成と動作の概要〕
図１は、本発明の実施形態１に係る通信システム１の構成の概要を示す図であり、図１１は、通信システム１のハードウェア構成の概略を示すブロック図である。図示のように、通信システム１は、ＴＶ受信機１０、リモコン（リモートコントローラ）１８１、ポータルサーバ２０、連携サーバ３０および外部サーバ４０を備えている。ＴＶ受信機１０、ポータルサーバ２０、連携サーバ３０および外部サーバ４０は、通信ネットワーク５１を含むネットワーク５０を介して通信可能なように接続されている。
【００１７】
図１１に示すように、ＴＶ受信機１０は、通信部１１、制御部１２、記憶部１３、放送波受信部１４、重畳部１５、出力部１６（キーワード表示手段、検索結果表示手段）、および操作部１８を備える。ＴＶ受信機１０は、ＢＤ（BLU-RAY Disc（登録商標））ドライブなど、その他の構成をさらに備えていてもよいし、必ずしもテレビに限らず、放送波を受信し、映像および音声を出力する構成であればよい。また、ＷＥＢコンテンツを受信する端末は、ＴＶ受信機１０に限らず、例えば、スマートフォンやＰＣ（Personal Computer）であってもよい。
【００１８】
通信部１１は、ネットワーク５０を介して、自装置（ＴＶ受信機１０）と、別の装置（ポータルサーバ２０）とを通信可能に接続するためのインターフェースである。
【００１９】
制御部１２として利用可能なデバイスとしては、ＣＰＵ（Central Processing Unit）を挙げることができる。また、記憶部１３は、主記憶部および補助記憶部を備えている。記憶部１３の主記憶として利用可能なデバイスとしては、例えば、半導体ＲＡＭ（random access memory）を挙げることができる。また、記憶部１３の補助記憶部として利用可能なデバイスとしては、例えば、ハードディスクドライブ（ＨＤＤ）を挙げることができる。
【００２０】
記憶部１３の補助記憶部には、ＴＶ受信機１０として動作させるための制御プログラムが格納されている。制御プログラムは、上述したＴＶ受信機１０の機能を実現するためのプログラムである。
【００２１】
制御部１２は、ＴＶ受信機１０内の各種構成を統括的に制御するものである。制御部１２は、記憶部１３の主記憶部上に制御プログラムを展開し、展開された制御プログラムに含まれる各種の命令を実行することによって、上述したＴＶ受信機１０の機能を実現する。
【００２２】
放送波受信部１４は、放送局（図示せず）から送信された放送番組のデジタル放送波（例えば、ＢＳデジタル放送、ＣＳデジタル放送、地上波デジタル放送）を、アンテナ部（図示せず）を介して受信する装置である。具体的には、放送波受信部１４は、制御部１２の指示に従って、複数の上記デジタル放送波の中から１つまたは幾つかを選択（選局）して受信する。放送波受信部１４として利用可能なデバイスとしては、チューナを挙げることができる。なお、放送波受信部１４は、放送波に限らず、ＩＰ放送を受信可能な構成としてもよい。
【００２３】
重畳部１５は、放送波受信部１４からの放送番組の映像データおよび音声データに対し、制御部１２にて作成された映像データおよび音声データをそれぞれ重畳するものである。重畳部１５は、重畳した映像データおよび音声データを出力部１６に送信する。なお、制御部１２が作成する映像データとしては、録画リスト、番組表などのＯＳＤ（On Screen Display）データが挙げられる。また、制御部１２が作成する音声データとしては、速報チャイム、ボタン操作音、警報音など、内蔵の音声データが挙げられる。
【００２４】
出力部１６は、重畳部１５からの映像データおよび音声データに基づいて、映像および音声を出力するものである。出力部１６は、ＬＣＤ（Liquid Crystal Display）、ＰＤＰ（Plasma Display Panel）、ＥＬ（Electroluminescence）ディスプレイなどの表示素子、受信した画像データに基づいて表示素子を駆動するドライバ回路、デジタル形式の上記音声データをアナログ形式の音声信号に変換するＤ／Ａ変換回路、上記音声信号を音声に変換して出力するスピーカ、などを備える。
【００２５】
操作部１７は、ＴＶ受信機１０を遠隔操作するためのリモコン１８１、または、ＴＶ受信機１０に設けられた入力デバイスをユーザが操作することにより、当該ユーザの入力操作を受け付けて、操作データを作成し制御部１２に送信するものである。上記入力デバイスの例としては、ボタンスイッチ、タッチパネルなどが挙げられる。
【００２６】
ここで、図１に示すリモコン１８１の詳細について説明する。リモコン１８１は、ネットワーク５０を介してポータルサイトにアクセスするための入力操作を受け付け可能な操作ボタンである「インターネット」ボタンＢ１を備えている。その他、リモコン１８１は、チャンネル切替、ボリューム調整、機能選択などの種々の入力操作を受け付け可能な操作ボタンを備えている。なお、リモコン１８１に表示画面が設けられている場合には、これらの入力操作を、当該表示画面に表示された操作画像（アイコン等）を介して取得してもよい。リモコン１８１は、ユーザの入力操作に応じた制御信号を生成し、生成した制御信号を、赤外線通信等の無線通信媒体を介してＴＶ受信機１０に送信する。
【００２７】
図１１に示すように、ポータルサーバ２０は、通信部２１、制御部２２、および記憶部２３を備える。連携サーバ３０は、通信部３１、制御部３２、および記憶部３３を備える。外部サーバ４０は、通信部４１、制御部４２、および記憶部４３を備える。なお、上記の各サーバの通信部、制御部、および記憶部は、それぞれ、ＴＶ受信機１０の通信部１１、制御部１２、および記憶部１３と同様のハードウェア構成であるので、その説明を省略する。
【００２８】
なお、ポータルサーバ２０に接続されている連携サーバとして、連携サーバ３０のみが図示されているが、連携サーバ３０を含む複数の連携サーバがポータルサーバ２０に接続されていてもよい。同様に、ポータルサーバ２０に接続されている外部サーバとして、外部サーバ４０のみが図示されているが、外部サーバ４０を含む複数の外部サーバがポータルサーバ２０に接続されていてもよい。また、連携サーバ３０と、外部サーバ４０とが１台のサーバとしてまとまっていてもよい。さらに、連携サーバ３０または外部サーバ４０が自社で運用管理されている場合などには、連携サーバ３０または外部サーバ４０と、ポータルサーバ２０とが１台のサーバとしてまとまっていてもよい。
【００２９】
まず、ＴＶ受信機１０は、有線、無線、インターネット回線などにより放送されている放送番組（放送コンテンツ）を受信し再生して、表示したり音声出力したりする。これにより、ユーザは放送番組を視聴できる。このとき、ＴＶ受信機１０は、ユーザが視聴する放送番組を特定可能な情報を含むチャンネル情報を、ＴＶ受信機１０の製造業者など（以下において、自社とも表現する）が有するポータルサーバ２０に適時送信する。これにより、ポータルサーバ２０は、ＴＶ受信機１０における視聴状況を把握することが可能となる。
【００３０】
ここで、放送番組とは、一般に、ユーザからの要求とは無関係に、放送局または放送サーバから放送（配信）される番組のことを指す。放送番組は、放送波を介して放送されるものであってもよいし、ネットワーク経由で配信されるものであってもよい。放送局または放送サーバが放送番組を放送（配信）する日時は、放送局または放送サーバによって予め決定されている。そのため、ＴＶ受信機１０は、放送番組を受信する日時を自由に決定することはできない。
【００３１】
上記放送番組の視聴中に、上記ユーザがリモコン１８１の「インターネット」ボタンＢ１を押下する操作を行うと、ＴＶ受信機１０は、当該操作に対応する操作信号をリモコン１８１から受信し、ポータルサーバ２０に対し、自機で出力するための、自社ポータルサイトのウェブページを要求する。この要求は、ＴＶ受信機１０を特定する識別番号であるテレビＩＤ（受信装置ＩＤ）を含んでいる。また、この要求は、視聴中の上記ユーザを識別するためのユーザＩＤを含んでいてもよいし、テレビＩＤとユーザＩＤとの両方を含んでいてもよい。
【００３２】
ここで、自社ポータルサイトとは、ＴＶ受信機１０からインターネットにアクセスする場合に、必ずＴＶ受信機１０に表示されるウェブページのことを意味する。
【００３３】
ポータルサーバ２０は、ＴＶ受信機１０から上記要求を受信すると、外部の装置である連携サーバ３０に対し、チャンネル情報を送信することにより、番組関連情報を要求する。なお、本実施形態において、連携サーバ３０は、自社とは異なる情報サービス業者が運営するものとして説明する。しかし、連携サーバ３０は、自社によって運営されるものであってもよい。この場合は、連携サーバ３０は、ポータルサーバ２０と物理的に同一なサーバであってもよい。
【００３４】
次に、ポータルサーバ２０は、連携サーバ３０から、チャンネル情報に係る番組情報および当該番組情報に紐づく関連情報を受信する。そして、受信した番組情報および関連情報を上記ウェブページに含めて、当該ウェブページをＴＶ受信機１０に送信する。
【００３５】
これにより、ＴＶ受信機１０は、自社ポータルサイトの番組情報および関連情報であって、自機における放送番組の視聴状況に対応し、かつ、情報サービス業者が提供するコンテンツを含むウェブページを表示することができる。
【００３６】
ここで、情報サービス業者とは、視聴中の番組に関連するコンテンツ（番組のその時点までの放送内容、放送中に出てきた出演者や商品に関する名称、その他の情報など）を自社ポータルサイトのウェブページに提供する業者のことを意味する。上記情報サービス業者は、企業および法人であってもよいし、個人であってもよいし、国、地方公共団体などであってもよいし、自社の専門部署や関連会社であってもよい。言い換えれば、情報サービス業者は、ポータルサーバ２０を利用し、ＴＶ受信機１０のユーザに対して、番組関連情報を提供するものの総称である。
【００３７】
また、上記コンテンツの例としては、テキスト、静止画、動画、音声、およびこれらの組合せが挙げられる。
【００３８】
なお、ポータルサーバ２０は、連携サーバ３０から受信した番組情報および関連情報からキーワードを抽出し、外部サーバ４０を当該キーワードにより検索してもよい。その場合には、外部サーバ４０から検索結果（例えば、ＳＮＳの情報）を受信すると、当該検索結果を含むウェブページを作成し、当該ウェブページをＴＶ受信機１０に送信する。
【００３９】
上記によれば、ＴＶ受信機１０は、自機における放送番組の視聴状況に対応し、かつ、インターネット上のコンテンツを含むウェブページを表示することができる。これによれば、ユーザは、ＴＶ受信機１０が受信する放送番組情報中の文字情報や音声解析による番組解析結果に限ることなく、連携サーバ３０及び外部サーバ４０から豊富な関連情報を取得し、参照することができる。
【００４０】
〔画面の構成〕
図２〜図４は、ＴＶ受信機１０の画面の一例を示す図である。図２は、投稿サイトのアカウントでログイン後の最初の画面を示す。本画面では、視聴中のチャンネルに関連した投稿データの表示に加え、ユーザ自身のタイムライン表示、ユーザ宛の投稿データ表示、投稿サイト検索などを行うことができる。
【００４１】
図示のように、画面の左側半分に放送中のテレビ番組、日時および天気予報が表示され、画面の右側半分にポータルサーバ２０から受信したウェブページが表示されている。右側のウェブページには、「放送中」タブ、「タイムライン」タブ、「＠返信」タブおよび「検索」タブが設定されている。
【００４２】
図２に示す例では、メインのタブである「放送中」タブが選択されており、「放送中」タブにおいて、上端から順に放送局名（○○テレビ）、番組名（午前のニュース）、出演者および関連情報が表示され、中央から下端において、放送局名を検索条件として投稿サイトを検索した検索結果である投稿データが表示されている。そして、更新ボタンを押すことにより、最新の状態が表示される。
【００４３】
「タイムライン」タブでは、投稿サイトでユーザがフォローしている投稿データが表示される。「＠返信」タブでは、アカウントユーザ宛の投稿データが表示される。「検索」タブでは、任意の検索ワードを用いて投稿サイトの検索を行い、当該検索結果である投稿データが表示される。なお、各タブにおいて、上記投稿データが表示されてもよいし、必ずしも表示されなくてもよい。
【００４４】
〔関連ワード検索入力補助機能〕
図２に示すように、ＴＶ受信機１０は、現在表示されている投稿データの検索キーワード（○○テレビ）および関連ワード（午前のニュース）を含むポップアップウィンドウＡ１を、ウェブページに重畳してポップアップ表示する。このポップアップ表示は、例えば、外部サーバ４０またはポータルサーバ２０から送信されるページデータ（ＷＥＢコンテンツ）に上記の検索キーワードおよび関連ワードをポップアップ表示する旨の指示が含まれており、その指示をＴＶ受信機１０が読み込んで実行することで実現される。
【００４５】
すなわち、ＴＶ受信機１０は、キーワードとして放送局名を表示し、関連ワードとして番組名を提示する。これは、投稿サイトの検索結果を最初に表示するときにポップアップウィンドウＡ１を表示させることにより、視聴中の放送局名を検索条件として投稿サイトの検索を行ったことをユーザに通知するものである。そして、関連ワードの欄には、検索キーワードや表示中の他の関連情報すべてに関連する包括的なキーワードが表示される。一般に、放送局名を含む投稿が大部分を占める全国ネットとは異なり、地方局の番組に関しては放送局名を含む投稿データが少ないという状況が生じ得る。このような場合であっても、関連ワードの欄に番組名を表示することによって、ユーザは、視聴中の番組を包括するキーワードである番組名を検索条件として検索することにより、より多くの投稿を閲覧することができる。
【００４６】
なお、表示中の関連情報の一部に関連する包括的なキーワードが表示されてもよい。また、図２では、１つの関連ワードが表示されているが、複数の関連ワードが表示されていてもよい。
【００４７】
なお、関連ワードは、ポータルサーバ２０が番組情報および関連情報から抽出したキーワードであるが、その抽出方法としては、形態素解析により名詞の部分を抽出する方法を用いてもよいし、「・・・」（ダブルクオーテーション）の中身を抽出する方法を用いてもよいし、その他の方法を用いてもよい。
【００４８】
ユーザは、「○○テレビ」関連の投稿データ表示を所望する場合、ＯＫボタンを押下する。これにより、ＴＶ受信機１０は、ポップアップウィンドウＡ１を消去する。なお、ＯＫボタンが押下されたときに、ＴＶ受信機１０が、「○○テレビ」を検索条件とする投稿データの検索を行い、検索結果を下の投稿データ欄に表示してもよい。
【００４９】
一方、「○○テレビ」がユーザの所望する検索キーワードでなければ、ユーザは、関連ワードである「午前のニュース」を選択する。「午前のニュース」の選択により、「放送中」タブにおいて投稿サイト検索の検索結果を表示する。このとき、投稿データ欄の上に、例えば、『「午前のニュース」関連の投稿データを表示しています。』のように、表示中の検索結果に関して検索条件としたキーワードを表示するようにする。
【００５０】
例えば、関東地方以外の地域でテレビ番組を視聴している場合、当該地域に属する地方局からテレビ番組を受信しているので、東京のネットワークキー局に関連する投稿データを見ても、ユーザにとってあまり有用ではない。上記の構成によれば、テレビ受信機１０は、番組名などの地域に依存しない関連ワードを提示することができる。また、これにより、当該関連ワードで検索した有用な投稿データを表示することが可能になる。
【００５１】
図３は、図２においてポップアップウィンドウＡ１のＯＫボタンが押下されたときの表示画面の例を示す図である。図２に示すように、ポップアップウィンドウＡ１が消去され、投稿データの検索結果が前面に表示される。そして、投稿サイトと同様の機能を実現すべく、表示されている所定の投稿データをユーザが選択（フォーカスし、決定キーを押下）すると、返信ボタンＣ１、再投稿ボタンＣ２および＠ユーザー名のボタンＣ３が表示され、選択した投稿データ内に、所定のシンボルを先頭とする文字列（例えば、所謂ハッシュタグ）が含まれていれば、当該文字列のボタンＣ４が表示される。このような表示は、投稿サイトとしてTWITTER（登録商標）を利用する場合には、TWITTER社の規定により必須である。ユーザが＠ユーザー名のボタンＣ３を選択すると、「タイムライン」タブが選択されて、当該＠ユーザー名の検索結果が表示される。ユーザが上記文字列のボタンＣ４を選択すると、「放送中」タブにおいて、当該文字列を含む投稿データが検索され、表示される。
【００５２】
このように、外部サーバ４０が提供するガイドラインに沿った機能を実現することにより、ユーザに対して、外部サーバ４０が提供する機能と共通の機能を提供することができる。また、これに限定することなく、ウェブページに独自の機能を持たせることにより、ユーザの利便性の向上を図ってもよい。
【００５３】
なお、図２に示す「放送中」タブのポップアップウィンドウＡ１において、ユーザが関連ワードである「午前のニュース」を選択した場合に、図４に示すように、ＴＶ受信機１０は、「放送中」タブから「検索」タブに切り換えてもよい。この状態において、「検索」タブのキーワード入力欄Ｄ１は、関連ワードの「午前のニュース」が入力された状態になっており、ユーザは、そのまま更新ボタンを選択して検索を実行させてもよいし、キーワードを入力し直した上で検索を実行させてもよい。
【００５４】
〔データおよび機能ブロックの構成〕
（ＴＶ受信機１０）
次に、通信システム１におけるＴＶ受信機１０の制御部１２において実現される各機能ブロックについて説明する。
【００５５】
図５は、ＴＶ受信機１０の構成の概略を示す機能ブロック図である。図示のように、制御部１２は、選局指示部１２１、チャンネル情報作成部１２２（視聴状況送信手段）およびブラウザ部１２３（キーワード受信手段、キーワード取得手段、検索結果取得手段）を備える。また、記憶部１３は、チャンネル情報、キーワードおよびページデータを記憶している。
【００５６】
チャンネル情報は、テレビＩＤ、ネットワークＩＤ（放送局コード）および視聴時刻を含む。テレビＩＤは、ＴＶ受信機１０固有のＩＤである。ネットワークＩＤは、その時点で選局されている放送局に固有のＩＤである。視聴時刻は、番組が視聴されている時刻を示す。ネットワークＩＤおよび視聴時刻により、視聴中の番組を特定することができる。
【００５７】
キーワードは、チャンネル情報により特定される番組に関するキーワードであり、ポータルサーバ２０において番組情報や関連情報から抽出される。
【００５８】
ページデータは、チャンネル情報により特定される番組関連情報と、キーワードにより検索される投稿データとが統合されたデータであり、ＨＴＭＬ（HyperText Markup Language）データおよびコンテンツを含むウェブページとして出力部１６に表示される。
【００５９】
選局指示部１２１は、ユーザが操作部１７を介して選択した上記放送局などを選局するように、放送波受信部１４に指示するものである。選局指示部１２１は、上記選択した放送局などの情報をチャンネル情報作成部１２２に提供する。なお、選局指示部１２１は、ＴＶ受信機１０の電源がオンになると、前回選局していた放送局などを選局するように指示してもよいし、デフォルトの放送局などを選局するように指示してもよいし、ユーザによって設定された放送局などを選局するように指示してもよい。
【００６０】
チャンネル情報作成部１２２は、選局指示部１２１からの情報に基づき、ユーザの制御指示や、電源オン、オフなどのイベントに応じてＴＶ受信機１０が受信した放送番組であって、当該放送番組を特定可能な情報を含むチャンネル情報を作成するものである。チャンネル情報作成部１２２は、作成したチャンネル情報を記憶部１３のチャンネル情報に追加すると共に、通信部１１およびネットワーク５０を介してポータルサーバ２０に送信する（図１２のＳ１０に対応）。なお、チャンネル情報作成部１２２がチャンネル情報をポータルサーバ２０に送信するタイミングは任意に設定できる。例えば、選局指示部１２１が選局を指示するごとに行ってもよいし、所定周期（例えば５分）ごとに行ってもよいし、チャンネル情報を所定周期ごとに送信すると共に、選局指示のタイミングにも送信するようにしてもよい。
【００６１】
ブラウザ部１２３は、ポータルサーバ２０が提供するウェブページを閲覧するためのものである。具体的には、ブラウザ部１２３は、通信部１１およびネットワーク５０を介してポータルサーバ２０にアクセスし、ページデータをポータルサーバ２０に要求して取得し（図１２のＳ１２およびＳ１３に対応）、当該ページデータを重畳部１５に提供する。これにより、出力部１６にて、受信している放送番組と、ポータルサーバ２０が提供するウェブページとを表示することができる。ブラウザ部１２３は、ウェブページに重畳してポップアップウィンドウを表示する機能を有する。詳細には、コンテンツに組み込まれているJavaScript（登録商標）が投稿サイト提供ＡＰＩを有しており、クリック、表示開始、周期タイマなどのイベントが発生すると、上記ＡＰＩを利用した検索が実現される。なお、JavaScriptは、ポータルサーバ２０にあってもよいし、別のサーバにあってもよいし、ＴＶ受信機１０自身に組み込まれていてもよい。
【００６２】
（ポータルサーバ２０）
次に、通信システム１におけるポータルサーバ２０の制御部２２において実現される各機能ブロックについて説明する。ポータルサーバ２０は、ネットワーク５０を介してＴＶ受信機１０、連携サーバ３０および外部サーバ４０と通信を行うものであり、ＴＶ受信機１０からの要求に応じて、自社ポータルサイトのウェブページのページデータを作成し、ＴＶ受信機１０に送信するものである。
【００６３】
図６は、ポータルサーバ２０の構成の概略を示す機能ブロック図である。図示のように、制御部２２は、チャンネル情報取得部２２１（視聴状況取得手段）、番組関連情報取得部２２２（キーワード取得手段）、およびページ作成部２２３（キーワード送信手段、検索結果取得手段、検索結果送信手段）を備える。また、記憶部２３は、チャンネル情報、検索ワード対応テーブル、番組関連情報、およびページデータを記憶している。
【００６４】
チャンネル情報は、チャンネル情報取得部２２１が取得する情報であり、ＴＶ受信機１０から送信されるチャンネル情報である。したがって、ここでは、詳細な説明を省略する。
【００６５】
検索ワード対応テーブルは、チャンネル情報に含まれるネットワークＩＤからキーワードを取得するためのテーブルである。図７は、検索ワード対応テーブルの構成例を示す図である。図示のように、検索ワード対応テーブルは、network_ID（ネットワークＩＤ）と、放送局名を示すキーワードとが対応付られたテーブルであり、当該テーブルを用いてnetwork_IDによりキーワードを特定することができる。
【００６６】
番組関連情報は、チャンネル情報により特定される番組に関する情報であり、具体的には、連携サーバ３０において番組情報および関連情報が併合された情報である。
【００６７】
なお、番組関連情報は、コンテンツ関連情報の一例である。コンテンツ関連情報とは、コンテンツに関する情報のことを指し、より具体的には、視聴状況情報によって定まるコンテンツに関する情報のことを指す。本実施形態では、コンテンツ関連情報として番組関連情報を一例に挙げ説明を行うが、これは本実施形態を限定するものではない。
【００６８】
ページデータは、チャンネル情報のネットワークＩＤにより特定されるキーワード及び番組関連情報を含むデータであり、ウェブページとしてＴＶ受信機１０に送信される。
【００６９】
チャンネル情報取得部２２１は、ＴＶ受信機１０からネットワーク５０および通信部２１を介してチャンネル情報を取得し、当該チャンネル情報を記憶部２３に記憶する（図１２のＳ２０に対応）とともに、当該チャンネル情報を番組関連情報取得部２２２に受け渡す。また、チャンネル情報からネットワークＩＤを抽出し、検索ワードテーブルを参照して当該ネットワークＩＤからキーワードを特定し、当該キーワードをページ作成部２２３に受け渡す。
【００７０】
番組関連情報取得部２２２は、チャンネル情報取得部２２１からチャンネル情報を取得し、当該チャンネル情報を通信部２１およびネットワーク５０を介して連携サーバ３０に送信する（図１２のＳ２２に対応）。番組関連情報取得部２２２は、その応答として、連携サーバ３０から番組関連情報を受信し（図１２のＳ２３に対応）、当該番組関連情報を記憶部２３に記憶するとともに、当該番組関連情報をページ作成部２２３に受け渡す。なお、番組関連情報取得部２２２は、チャンネル情報をＴＶ受信機１０から受信することもある。また、番組関連情報からキーワードを抽出し、当該キーワードをページ作成部２２３に受け渡してもよい。
【００７１】
ページ作成部２２３は、チャンネル情報取得部２２１からキーワードを取得し、番組関連情報取得部２２２から番組関連情報を取得し、当該キーワードおよび当該番組関連情報を含むページデータを作成し、当該ページデータを記憶部２３に記憶するとともに、当該ページデータを通信部２１およびネットワーク５０を介してＴＶ受信機１０に送信する（図１２のＳ２５に対応）。チャンネル情報取得部２２１から取得したキーワード（放送局名）は、ＴＶ受信機１０において、投稿サイトにログインした後に最初に検索するときの検索条件として用いられる。なお、ページデータを作成するときに、番組関連情報取得部２２２から取得したキーワードを含めるようにしてもよい。
【００７２】
（連携サーバ３０）
次に、通信システム１における連携サーバ３０の制御部３２において実現される各機能ブロックについて説明する。連携サーバ３０は、ネットワーク５０を介してポータルサーバ２０と通信を行うものであり、ポータルサーバ２０からの要求に応じて、チャンネル情報に関連する番組情報および関連情報を抽出し、ポータルサーバ２０に送信するものである。
【００７３】
図８は、連携サーバ３０の構成の概略を示す機能ブロック図である。図示のように、制御部３２は、チャンネル情報取得部３２１、番組情報取得部３２２、関連情報取得部３２３および番組関連情報作成部３２４を備える。また、記憶部３３は、番組情報および関連情報を記憶している。
【００７４】
図９は、連携サーバ３０の記憶部３３に記憶される番組情報の一例を示す図である。番組情報は、放送番組がまとまった内容で区切られた単位（context）に関する情報である。当該単位ごとに、contextのＩＤ（context_id）、contextのタイトル（name）、番組内容をテキスト化した最小の単位（context）、contextの開始時刻（start）、contextの終了時刻（end）、contextを含む番組のＩＤ（programid）、番組の開始時刻（onair24_st）、番組の終了時間（onair24_ed）、番組を放送していた放送局のネットワークＩＤ（network_id）、番組を放送していた放送局のサービスＩＤ（service_id）、放送局名（station_name）、番組名（program_name）、番組のジャンルＩＤ（genre）、および出演者名（cast_name）が含まれている。サービスＩＤは、ネットワークＩＤに対して複数持つことがある。また、１つの番組の中のコーナー（シーン）ごとに出演者が異なるので、番組情報として出演者名（cast_name）が含まれていることは、出演者に関する感想、評判等を知りたい場合に非常に有意義である。
【００７５】
図１０は、連携サーバ３０の記憶部３３に記憶される関連情報の一例を示す図である。関連情報は、番組情報に関連する情報であり、contextのＩＤ（context_id）によって番組情報と紐付けられるテーブルである。本テーブルの行ＩＤ（id）、contextのＩＤ（context_id）、関連情報となるワード（word）、wordのカテゴリー（item_category_name, information_type_name）が含まれている。ワード（word）は、番組を見てキーワードとなるワードを抽出して入力されたものである。wordのカテゴリー（item_category_name）は、音楽／趣味／レジャー／グルメなど趣味のジャンルを示すものである。wordのカテゴリー（information_type_name）は、団体名／人物／薬品名などワード（word）の意味を示すものである。上記によれば、関連情報は、wordのカテゴリーおよびwordの意味によって分類されていると言える。
【００７６】
チャンネル情報取得部３２１は、ポータルサーバ２０からネットワーク５０および通信部３１を介してチャンネル情報を取得し（図１２のＳ３０に対応）、当該チャンネル情報を番組情報取得部３２２に受け渡す。
【００７７】
番組情報取得部３２２は、チャンネル情報取得部３２１からチャンネル情報を取得し、当該チャンネル情報に含まれるネットワークＩＤおよび視聴時刻に該当する番組情報を、記憶部３３に記憶されている番組情報から抽出する。そして、当該番組情報を番組関連情報作成部３２４に受け渡すとともに、当該番組情報に含まれるcontextのＩＤ（context_id）を関連情報取得部３２３に受け渡す。なお、番組情報を抽出する際に、チャンネル情報に含まれる視聴時刻の代わりに、制御部３２が有する時計機能により現在時刻を取得し、用いてもよい。また、図９に示す番組情報のうち、番組情報取得部３２２が抽出して番組関連情報作成部３２４に受け渡す番組情報は、放送局名（station_name）、番組名（program_name）、および出演者名（cast_name）であるが、これらに限らず、他の様々な情報を番組情報としてもよい。
【００７８】
関連情報取得部３２３は、関連情報取得部３２３からcontextのＩＤ（context_id）を取得し、当該contextのＩＤ（context_id）に該当する関連情報を、記憶部３３に記憶されている関連情報から抽出する。そして、当該関連情報を番組関連情報作成部３２４に受け渡す。図１０に示す関連情報のうち、関連情報取得部３２３が抽出して番組関連情報作成部３２４に受け渡す関連情報は、関連情報となるワード（word）およびwordのカテゴリー（item_category_name, information_type_name）であるが、これらに限らず、他の様々な情報を関連情報としてもよい。
【００７９】
番組関連情報作成部３２４は、番組情報取得部３２２から番組情報を取得し、関連情報取得部３２３から関連情報を取得し、当該番組情報および当該関連情報を統合して番組関連情報を作成し、当該番組関連情報を通信部３１およびネットワーク５０を介してポータルサーバ２０に送信する（図１２のＳ３１に対応）。
【００８０】
例えば、チャンネル情報に含まれるネットワークＩＤが３２７２４だった場合に、図９の番組情報を参照すると、上から４番目にある、context_idが４０９０３８０の番組情報が抽出される。そして、図１０の関連情報を参照すると、context_idが４０９０３８０なので、上から４〜６番目にある、idが８７７８５７６、８７７８５７７および８７７８５８の３つの関連情報が抽出される。
【００８１】
〔システムの処理〕
図１２は、本発明の実施形態１に係る通信システム１の処理の流れを示すシークエンス図である。
【００８２】
まず、ＴＶ受信機１０において、チャンネル情報作成部１２２がチャンネル情報を作成し、ポータルサーバ２０に送信する（Ｓ１０）。それに対して、ポータルサーバ２０では、通信部２１がＴＶ受信機１０からチャンネル情報を受信し、チャンネル情報取得部２２１が当該チャンネル情報を記憶部２３に記憶する（Ｓ２０）。
【００８３】
その後、ＴＶ受信機１０において、ユーザからブラウザの表示が操作部１７を介して指示されると、ブラウザ部１２３が起動して（Ｓ１１）、自社ポータルサイトのページデータの要求をポータルサーバ２０に送信する（Ｓ１２）。
【００８４】
それに対して、ポータルサーバ２０では、通信部２１がＴＶ受信機１０からページデータ要求を受信し（Ｓ２１）、番組関連情報取得部２２２が、番組関連情報の要求を、チャンネル情報を含めて連携サーバ３０に送信する（Ｓ２２）。連携サーバ３０では、通信部３１がポータルサーバ２０から番組関連情報要求を受信し（Ｓ３０）、番組関連情報作成部３２４が番組関連情報を作成し、ポータルサーバ２０に送信する（Ｓ３１）。
【００８５】
ポータルサーバ２０では、通信部２１が連携サーバ３０から番組関連情報を受信し（Ｓ２３）、番組関連情報取得部２２２が、当該番組関連情報をページ作成部２２３に受け渡す。そして、チャンネル情報取得部２２１が、チャンネル情報に含まれるネットワークＩＤからキーワードを特定し、ページ作成部２２３に受け渡すとともに、番組関連情報取得部２２２が、番組関連情報からキーワードを抽出し、当該キーワードをページ作成部２２３に受け渡す（Ｓ２４）。ページ作成部２２３は、受け渡されたキーワードおよび番組関連情報を含むページデータを作成し、当該ページデータをＴＶ受信機２０に送信する（Ｓ２７）。
【００８６】
ＴＶ受信機１０では、通信部１１がポータルサーバ２０からページデータを受信し、ブラウザ１２３が出力部１６に当該ページデータを表示させる（Ｓ１３）。さらに、ＴＶ受信機１０では、ブラウザ部１２３がページデータに含まれるキーワードにより外部サーバ４０を検索する（Ｓ１４）。外部サーバ４０では、通信部４１がキーワード検索要求を受信し（Ｓ４０）、制御部４２が、記憶部４３に記憶されている投稿データ情報からキーワードに該当する投稿データを検索し、当該投稿データをＴＶ受信機１０に送信する（Ｓ４１）。
【００８７】
ＴＶ受信機１０では、通信部１１が外部サーバ４０から投稿データを受信し、ブラウザ１２３が出力部１６に当該投稿データを表示させる（Ｓ１３）。
【００８８】
＜付記事項＞
上記の例では、視聴状況情報によって定まるコンテンツが放送番組である場合を例にして説明したが、これは本実施形態を限定するものではない。例えば、本実施形態における視聴状況情報には、記録媒体（ＤＶＤ、ハードディスク等）に記録されたコンテンツであって、ＴＶ受信機１０にて表示可能なコンテンツを特定するための情報が含まれ得る。したがって、通信システム１においては、視聴状況情報を参照することによって、当該記録媒体に記録されたコンテンツをも特定することができる。また、本実施形態における視聴状況情報には、ストリーミング配信されるコンテンツを特定するための情報が含まれ得る。したがって、通信システム１においては、視聴状況情報を参照することによってストリーミング配信されるコンテンツをも特定することができる。
【００８９】
また、本実施形態では、ポータルサーバ２０が連携サーバ３０から番組関連情報を受信するものとして説明したが、上述の通り、通信システム１の対象とするコンテンツは、例えばストリーミング配信されるコンテンツであってもよい。このような場合、ポータルサーバ２０は、当該コンテンツとともにＷｅｂページ上に公開されている当該コンテンツに関する説明、コメントなどの情報を、番組関連情報として受信するように構成されていてもよい。なお、上記コンテンツは、動画コンテンツに限定されるものではない。
【００９０】
≪実施形態２≫
次に、本発明の実施形態２に係る通信システム１について説明する。本発明の実施形態２において、ＴＶ受信機１０は、放送波により外部から各種コンテンツを受信し、当該各種コンテンツからＥＰＧ（Electronic Program Guide、電子番組ガイド：電子番組情報）を抽出して記憶部１３に記憶するとともに、当該ＥＰＧから番組情報を抽出し、当該番組情報をポータルサーバ２０に送信する。ポータルサーバ２０は、外部の装置であるＴＶ受信機１０から番組情報を受信し、当該番組情報からキーワードを抽出し、当該キーワードにより外部のサイトを検索し、検索結果を取得し、ＴＶ受信機１０に送信する。
【００９１】
〔システムの構成〕
実施形態２に係るシステム構成は、図１から連携サーバ３０を除いた構成である。そして、ＴＶ受信機１０では、放送波受信部１４が放送波を受信しながら、ＥＰＧが含まれていれば、当該ＥＰＧのデータを記憶部１３に記憶する。
【００９２】
〔システムの処理〕
図１３は、本発明の実施形態２に係る通信システム１の処理の流れを示すシークエンス図である。実施形態１の処理の流れと異なるのは、ポータルサーバ２０が番組情報要求を行う先が連携サーバ３０ではなく、ＴＶ受信機１０になるところである。
【００９３】
すなわち、Ｓ１２までの処理は、図１２と同様である。ポータルサーバ２０では、通信部２１がＴＶ受信機１０からページデータ要求を受信し（Ｓ２１）、番組関連情報取得部２２２が、番組情報の要求を、チャンネル情報を含めてＴＶ受信機１０に送信する（Ｓ２２）。ＴＶ受信機１０では、通信部１１がポータルサーバ２０から番組情報要求を受信し（Ｓ１３）、制御部１２が記憶部１３に記憶されたＥＰＧからチャンネル情報に該当する番組情報を抽出し、ポータルサーバ２０に送信する（Ｓ１４）。
【００９４】
ポータルサーバ２０では、通信部２１がＴＶ受信機１０から番組情報を受信し（Ｓ２３）、番組関連情報取得部２２２が、当該番組情報をページ作成部２２３に受け渡す。Ｓ２４以降の処理は、図１２と同様である。
【００９５】
なお、ＴＶ受信機１０がチャンネル情報を作成し、チャンネル情報に基づいてＥＰＧから番組情報を抽出し、表示するとともに、当該番組情報をポータルサーバ２０に送信してもよい。これによれば、ポータルサーバ２０におけるＳ２０およびＳ２２の処理が不要になる。
【００９６】
また、本実施形態では、コンテンツが放送波による放送番組であるものとして説明したが、上述の通り、通信システム１の対象とするコンテンツは、例えばストリーミング配信されるコンテンツであってもよい。このような場合、ＴＶ受信機１０は、当該コンテンツとともにＷｅｂページ上に公開されている当該コンテンツに関する説明、コメントなどの情報を、番組関連情報として受信するように構成されていてもよい。また、上記コンテンツ自体がメタデータを含んでいる場合、ＴＶ受信機１０は、当該メタデータに含まれている情報を、番組関連情報として用いるように構成されていてもよい。
【００９７】
≪実施形態３≫
続いて、本発明の実施形態３に係る通信システム１について説明する。本発明の実施形態３は、ＴＶ受信機１０における自社ポータル・投稿サイトの登録画面の遷移を規定するものであり、ＵＩ（User Interface）に入る前の手順を示すものである。
【００９８】
なお、実施形態３は、ユーザから視聴情報（放送番組、放送局、視聴時刻、視聴内容の種類）のデータ取得について許諾を受けていることを前提としており、必要に応じて本サービスを開始する条件として、データ取得の規約を表示し、ユーザに承諾されなければ、サービスを開始できない旨を表示してもよい。
【００９９】
図１４は、自社ポータル・投稿サイトの登録画面の遷移を示すフローチャートである。ユーザが、ＴＶ受信機１０のリモコン１８１の操作により自社ポータルサイトを起動すると、トップページにおいて、自社ポータル・投稿サイトのバナーまたはアイコンが表示される（Ｓ１００）。当該バナーまたはアイコンをクリックすると、ブラウザ部１２３は、投稿サイトにログインしているか否かを判定する（Ｓ１０１）。投稿サイトにログインしているか否かの情報は、ＴＶ受信機１０の記憶部１３と、ポータルサーバ２３との少なくともいずれか一方に記憶されている。
【０１００】
投稿サイトにログインしている場合には、ブラウザ部１２３は、「お知らせとご注意」を表示し（Ｓ１０２）、自社ポータル・投稿サイトにサービスインする（Ｓ１０３）。
【０１０１】
投稿サイトにログインしていない場合には、ブラウザ部１２３は、自社ポータル・投稿サイトのランディングページを表示する（Ｓ１０６）。そこで、ユーザがアカウントを保有していた場合に、「投稿サイトアカウントで認証を行う」を選択すると、投稿サイト認証ページが表示される（Ｓ１０７）。ユーザが当該ページにアカウントを入力すると、ブラウザ部１２３は、「お知らせとご注意」を表示し（Ｓ１０８）、自社ポータル・投稿サイトにサービスインする（Ｓ１０３）。ログアウトしない限り（Ｓ１０４のＮＯ）、自社ポータル・投稿サイトが継続して表示される。
【０１０２】
その後、自社ポータル・投稿サイトからログアウトすると（Ｓ１０４のＹＥＳ）、「ログアウト完了」が表示され、自社ポータルサイトのトップページに戻る。
【０１０３】
Ｓ１０６のランディングページにおいて、ユーザがアカウントを保有していない場合に、「投稿サイトアカウントをお持ちでない方はこちら」を選択すると、アカウント発行ページが表示され（Ｓ１０９）、アカウントの発行を受けることができる。その後、ブラウザ部１２３は、上記のトップページに戻る。なお、ユーザは、別途ＰＣ、スマートフォン、携帯電話などでアカウント発行を受けてもよい。
【０１０４】
図１５は、図１４の画面遷移に関するユーザのケース分けを示す図である。ケース（１）は、投稿サイトのアカウントでログイン済みの場合である。ケース（２）は、投稿サイトのアカウントでは未ログイン状態であり、投稿サイトのアカウントは保有している場合である。ケース（３）は、投稿サイトのアカウントでは未ログイン状態であり、かつ、投稿サイトのアカウントを保有していない場合である。
【０１０５】
図１６〜図１８は、図１５に示すケースごとの実際の画面遷移を示す図である。図１６は、ケース（１）の画面遷移を示す。図１７は、ケース（２）の画面遷移を示す。図１８は、ケース（３）の画面遷移を示す。
【０１０６】
ログインに成功した後、ＴＶ受信機１０は、ログインをするための情報を内部に保持し、以後、その情報で外部サーバ４０との通信を行う。例えば、ブラウザのＣｏｏｋｉｅやセッションにログイン情報を保持する。また、ポータルサーバ２０が、ＴＶ受信機１０に代わって外部サーバ４０と通信する場合には、テレビの持つ固有ＩＤ（テレビＩＤ）及びユーザＩＤを紐づける対応テーブルをポータルサーバ２０が記憶する方法で実現してもよい。
【０１０７】
図１９は、テレビＩＤとユーザＩＤとを対応付けるＩＤ対応テーブルを示す図である。ＩＤ対応テーブルは、例えば、ポータルサーバ２０の記憶部２３に格納され、ポータルサーバ２０の制御部２２のページ作成部２２３（管理手段）によって管理される。ＩＤ対応テーブルを用いることにより、ＴＶ受信機１０に固有のテレビＩＤと、ユーザが投稿サイト（所定のサイト）にログインするためのユーザＩＤとを紐付けることが可能である。ポータルサーバ２０は、例えば、ＴＶ受信機１０から受信したチャンネル情報に含まれるテレビＩＤが上記ＩＤ対応テーブルに記憶されており、上記テレビＩＤに投稿サイトのユーザＩＤが紐付られているときには、ＴＶ受信機１０のユーザが投稿サイトのアカウントを保有していると判定する。このとき、図１４のＳ１０７において、ユーザが投稿サイトのユーザＩＤを入力することなく、ポータルサーバ２０の制御部２２のページ作成部２２３（自動ログイン実行手段）が当該ユーザＩＤを設定し、当該投稿サイトに自動的にログインする。上記によれば、投稿サイトは、当該投稿サイトのユーザＩＤにより、テレビＩＤによって特定されるＴＶ受信機１０のウェブアプリケーションと連携していると言える。
【０１０８】
なお、テレビＩＤとユーザＩＤとの対応関係は、１対１であってもよいし、１対複数であってもよい。例えば、図１９に示すように、テレビＩＤが「Ｃ０ＡＦＣＧ」であるＴＶ受信機１０のように、１台のＴＶ受信機１０に対して複数のユーザＩＤが関連付けられている場合には、まず、ポータルサーバ２０が、複数のユーザＩＤをＴＶ受信機１０に送信する。次に、ＴＶ受信機１０がポータルサーバ２０から複数のユーザＩＤを受信し、出力部１６に表示することにより、ユーザにいずれか１つのユーザＩＤを選択させて、選択されたユーザＩＤをポータルサーバ２０に送信する。そして、ポータルサーバ２０は、ＴＶ受信機１０からユーザＩＤを受信し、当該ユーザＩＤを用いて投稿サイトにログインする構成とすることができる。
【０１０９】
また、ポータルサーバ２０と、外部サーバ４０とが通信する場合には、ＴＶ受信機１０が保持するＣｏｏｋｉｅ及びセッション情報を都度受信し、それらの情報を用いてサーバ間の通信を行ってもよい。
【０１１０】
≪実施形態４≫
さらに、本発明の実施形態４に係る通信システム１について説明する。本発明の実施形態４は、ユーザが、録画装置を用いて、放送波により受信した番組が録画された録画データを再生し、視聴するときにも、上記の実施形態と同じ機能を実現するものである。
【０１１１】
実施形態４に係る通信システム１では、図１のＴＶ受信機１０が録画装置を備える。録画装置は、再生中の録画データに関するチャンネル情報を作成し、ＴＶ受信機１０に送信する。ＴＶ受信機１０は、録画装置からチャンネル情報を受信し、記憶する。それ以降の処理は、実施形態１および２の処理と同様である。なお、録画データに関するチャンネル情報には、当該番組が放送された当時の放送局（ネットワークＩＤ）および放送日時が設定される。また、上述の録画装置は、ＴＶ受信機１０とは別体であってもよく、そのときには、録画装置がポータルサーバ２０及び外部サーバ４０と通信する処理を行ってもよい。
【０１１２】
また、本実施形態では、コンテンツが放送波による放送番組を録画した録画データであるものとして説明したが、通信システム１の対象とするコンテンツは、例えばストリーミング配信され、記録媒体に保存された保存データであってもよい。コンテンツが上記保存データである場合、上記録画装置は、当該コンテンツとともにＷｅｂページ上に公開されている当該コンテンツに関する説明、コメントなどの情報を、番組関連情報として受信するように構成されていてもよい。また、上記コンテンツ自体にメタデータが含まれている場合、上記録画装置は、当該メタデータに含まれている情報を、番組関連情報として用いるように構成されていてもよい。
【０１１３】
また、上記録画装置は、上記コンテンツを保存する場合に、上記コンテンツとともに、ユーザが入力したメモをテキスト情報として保存するように構成されていてもよい。具体的には、上記録画装置は、上記コンテンツを表す保存データ”ｘｘｘ．ｍｐ４”を保存するときに、ユーザが入力したメモを表すテキスト情報を”ｘｘｘ．ｔｘｔ”として、”ｘｘｘ．ｍｐ４”に関連付けて保存するように構成されていてもよい。このように構成された録画装置は、”ｘｘｘ．ｔｘｔ”として保存されたテキスト情報を、コンテンツの番組関連情報として用いることができる。なお、上記録画装置は、ＰＣであってもよい。
【０１１４】
≪ソフトウェアによる実現例≫
図５に示すＴＶ受信機１０、図６に示すポータルサーバ２０及び図８に示す連携サーバ３０の各機能ブロックは、集積回路（ＩＣチップ）などに形成された論理回路（ハードウェア）によって実現してもよいし、ＣＰＵ（Central Processing Unit）を用いてソフトウェアによって実現してもよい。
【０１１５】
後者の場合、各サーバは、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波など）を介して上記コンピュータに供給されてもよい。なお、本発明は、上記プログラムが電子的な伝送によって具現化された、搬送波に埋め込まれたデータ信号の形態でも実現され得る。
【０１１６】
〔まとめ〕
本発明の態様１に係る情報提供装置（ポータルサーバ２０）は、受信装置（ＴＶ受信機１０）におけるコンテンツの視聴状況を示す視聴状況情報（チャンネル情報）を取得する視聴状況取得手段（チャンネル情報取得部２２１）と、上記視聴状況取得手段が取得した視聴状況情報によって定まるコンテンツに関連するキーワードを取得するキーワード取得手段（番組関連情報取得部２２２）と、上記キーワード取得手段が取得したキーワードを上記受信装置に送信するキーワード送信手段（ページ作成部２２３）と、を備えている。
【０１１７】
上記の構成によれば、情報提供装置は、受信装置で視聴者が視聴中のコンテンツの提供元や日時などの視聴状況情報を取得し、当該視聴状況情報により、視聴中のコンテンツに関連するキーワードを取得し、受信装置に送信する。これによれば、視聴者は、コンテンツを視聴しながら、当該コンテンツに関連するキーワードを知ることができる。そして、当該キーワードをそのまま用いることにより、気になる出演者、気になる言葉の意味、コンテンツの評判などを検索するときに、キーワードを入力する手間を省くことができる。
【０１１８】
本発明の態様２に係る情報提供装置は、上記態様１において、上記キーワード取得手段が、外部から上記キーワードを取得することとしてもよい。
【０１１９】
上記の構成によれば、視聴中のコンテンツに関連するキーワードを外部から取得する。これによれば、視聴者は、コンテンツを視聴しながら、当該コンテンツに関連する有用なキーワードを知ることができる。
【０１２０】
本発明の態様３に係る情報提供装置は、上記態様１または２において、上記キーワード取得手段が取得したキーワードを検索条件とする検索結果を取得する検索結果取得手段（ページ作成部２２３）と、上記検索結果取得手段が取得した検索結果を上記受信装置に送信する検索結果送信手段（ページ作成部２２３）と、をさらに備えることとしてもよい。
【０１２１】
上記の構成によれば、情報提供装置は、取得したキーワードを用いて検索を行った結果を取得し、受信装置に送信する。これによれば、視聴者は、視聴中のコンテンツに関連するキーワードだけでなく、当該キーワードによる検索結果を参照できるので、さらにコンテンツに関する詳細な情報や幅広い意見などを知ることができる。
【０１２２】
本発明の態様４に係る情報提供装置は、上記態様３において、上記検索結果送信手段が、上記キーワード取得手段が取得したキーワードに関連する包括的なキーワードを上記検索結果とともに上記受信装置に送信することとしてもよい。
【０１２３】
本発明の態様５に係る情報提供装置は、上記態様４において、上記検索結果送信手段が、上記包括的なキーワードをポップアップ表示する指示を上記受信装置に送信することとしてもよい。
【０１２４】
本発明の態様６に係る情報提供装置は、上記態様３から５において、上記受信装置に固有の受信装置ＩＤと、当該受信装置のユーザが所定のサイトにログインするためのユーザＩＤとを対応付けて管理する管理手段（ページ作成部２２３）と、上記受信装置から取得した受信装置ＩＤに対応するユーザＩＤを用いて上記所定のサイトに対する自動ログインを実行する自動ログイン実行手段（ページ作成部２２３）と、をさらに備えることとしてもよい。
【０１２５】
上記の構成によれば、情報提供装置は、各受信装置のＩＤと、各受信装置のユーザが所定のサイトにログインするときに用いるユーザＩＤとを対応付けて管理する。そして、ある受信装置から受信装置ＩＤを（例えば、視聴状況情報に含まれる形で）受信したときに、管理上当該受信装置ＩＤに対応付けられたユーザＩＤにより、上記所定のサイトにログインする。これによれば、ユーザがユーザＩＤ入力の手間をかけることなく、受信装置から、ログインされた所定のサイトを利用することができる。
【０１２６】
本発明の態様７に係る情報提供装置は、上記態様１から６において、上記キーワード取得手段が、上記視聴状況情報を、コンテンツに関連するコンテンツ関連情報を記憶するコンテンツ関連情報サーバに送信し、上記コンテンツ関連情報サーバから上記視聴状況情報によって定まる上記コンテンツ関連情報を上記キーワードとして受信することとしてもよい。
【０１２７】
本発明の態様８に係る情報提供装置は、上記態様１から６において、上記コンテンツが、放送番組であり、上記キーワード取得手段が、上記受信装置が電子番組情報から抽出した番組関連情報であって、上記視聴状況情報によって定まるテレビ番組に関する番組関連情報を上記キーワードとして受信することとしてもよい。
【０１２８】
本発明の態様９に係る情報提供装置は、上記態様１から８において、上記コンテンツが、放送番組であり、上記視聴状況取得手段が、放送中の番組が視聴されている場合に、放送局および現在の日時を含む視聴状況情報を取得し、録画された番組が視聴されている場合に、放送局および当該番組の放送日時を含む視聴状況情報を取得することとしてもよい。
【０１２９】
上記の構成によれば、視聴状況情報を取得する際に、現在放送中の番組に関しては、放送局および現在の日時を取得し、録画された番組に関しては、放送局および当該番組の放送日時を取得する。これによれば、取得した放送局および日時により、時系列に記憶された番組関連情報や電子番組ガイドから視聴中の番組に関連する情報をキーワードとして取得することができる。
【０１３０】
本発明の態様１０に係る情報提供方法は、受信装置におけるコンテンツの視聴状況を示す視聴状況情報を取得する視聴状況取得ステップと、上記視聴状況取得ステップにおいて取得した視聴状況情報によって定まるコンテンツに関連するキーワードを取得するキーワード取得ステップと、上記キーワード取得ステップにおいて取得したキーワードを上記受信装置に送信するキーワード送信ステップと、を含んでいる。
【０１３１】
本発明の態様１１に係るプログラムは、コンピュータを情報提供装置として機能させるためのプログラムであって、受信装置におけるコンテンツの視聴状況を示す視聴状況情報を取得する視聴状況取得ステップと、上記視聴状況取得ステップにおいて取得した視聴状況情報によって定まるコンテンツに関連するキーワードを取得するキーワード取得ステップと、上記キーワード取得ステップにおいて取得したキーワードを上記受信装置に送信するキーワード送信ステップと、を実行させるためのプログラムである。
【０１３２】
本発明の態様１２に係る通信システムは、コンテンツを視聴可能な受信装置と、上記コンテンツに関連する情報を上記受信装置に提供する情報提供装置と、を備えており、上記情報提供装置が、上記受信装置における視聴状況を示す視聴状況情報を取得する視聴状況取得手段と、上記視聴状況取得手段が取得した視聴状況情報によって定まるコンテンツに関連するキーワードを取得するキーワード取得手段と、上記キーワード取得手段が取得したキーワードを上記受信装置に送信するキーワード送信手段と、を備えており、上記受信装置が、上記視聴状況情報を上記情報提供装置に送信する視聴状況送信手段と、上記情報提供装置から上記キーワードを受信するキーワード受信手段と、上記キーワード受信手段が受信したキーワードを表示するキーワード表示手段と、を備えている。
【０１３３】
本発明の態様１３に係る受信装置は、受信装置におけるコンテンツの視聴状況を示す視聴状況情報を送信する視聴状況送信手段（チャンネル情報作成部１２１）と、上記視聴状況情報によって定まるコンテンツに関連するキーワードを取得するキーワード取得手段（ブラウザ部１２３）と、上記キーワード取得手段が取得したキーワードを表示するキーワード表示手段（出力部１６）と、を備えている。
【０１３４】
上記の構成によれば、視聴者は、コンテンツを視聴しながら、当該コンテンツに関連するキーワードを知ることができる。そして、当該キーワードをそのまま用いることにより、気になる言葉の意味やコンテンツの評判を検索する際に、キーワードを入力する手間を省くことができる。
【０１３５】
本発明の態様１４に係る受信装置は、上記態様１３において、上記キーワード取得手段が取得したキーワードを検索条件とする検索結果を取得する検索結果取得手段（ブラウザ部１２３）と、上記検索結果取得手段が取得した検索結果を表示する検索結果表示手段（ブラウザ部１２３）と、をさらに備えることとしてもよい。
【０１３６】
上記の構成によれば、視聴者は、視聴中のコンテンツに関連するキーワードだけでなく、当該キーワードによる検索結果を参照できるので、さらにコンテンツに関する詳細な情報や幅広い意見などを知ることができる。
【０１３７】
本発明の態様１５に係る受信装置は、上記態様１４において、上記検索結果取得手段が、上記検索結果を取得するサイトにアクセスするためのアクセス情報を保持し、上記サイトに再度アクセスする際には、上記アクセス情報を使用することとしてもよい。
【０１３８】
本発明の態様１６に係る受信装置は、上記態様１４および１５において、上記検索結果取得手段が、上記検索結果表示手段が表示したキーワードが選択されたときに、当該選択されたキーワードを条件とする検索結果を取得することとしてもよい。
【０１３９】
上記の構成によれば、視聴者は、視聴中のコンテンツに関連するキーワードが表示されたときに、当該キーワードを選択することにより、選択したキーワードによる検索結果を参照することができる。これによれば、キーワードによる検索をさらに行いたいときに、キーワードを入力する手間を省くことができる。
【０１４０】
本発明の態様１７に係る受信装置は、上記態様１４から１６において、上記検索結果表示手段は、上記キーワード取得手段が取得したキーワードに関連する包括的なキーワード（関連ワード）を表示することとしてもよい。
【０１４１】
上記の構成によれば、視聴者は、その時に表示されている検索結果に納得できなければ、包括的なキーワードを選択することにより、新たな検索結果を参照することができる。
【０１４２】
本発明の態様１８に係る受信装置は、上記態様１７において、上記検索結果表示手段が、上記包括的なキーワードを含むポップアップウィンドウをポップアップ表示することとしてもよい。
【０１４３】
本発明の態様１９に係る受信装置は、上記態様１７および１８において、上記検索結果取得手段が、上記検索結果表示手段が表示した包括的なキーワードが選択されたときに、当該包括的なキーワードを検索条件とする検索結果を取得することとしてもよい。
【０１４４】
本発明の態様２０に係る受信装置は、上記態様１７から１９において、上記検索結果表示手段が、上記包括的なキーワードとともに、上記表示した検索結果を検索するために用いたキーワード（放送局名）を表示することとしてもよい。
【０１４５】
上記の構成によれば、視聴者は、その時に表示されている検索結果を検索するために用いたキーワードを知ることにより、当該キーワードでよければ、表示中の検索結果を確認することができるし、当該キーワードに納得できなければ、包括的なキーワードを選択することにより、新たな検索結果を参照することができる。
【０１４６】
本発明の態様２１に係るプログラムは、コンピュータを受信装置として機能させるためのプログラムであって、コンピュータに、受信装置におけるコンテンツの視聴状況を示す視聴状況情報を送信する視聴状況送信ステップと、上記視聴状況情報によって定まるコンテンツに関連するキーワードを取得するキーワード取得ステップと、上記キーワード取得ステップにおいて取得したキーワードを表示するキーワード表示ステップと、を実行させるためのプログラムである。
【０１４７】
本発明の各態様に係る情報処理装置は、コンピュータによって実現してもよく、この場合には、コンピュータを上記情報処理装置が備える各手段として動作させることにより上記情報処理装置をコンピュータにて実現させる情報処理装置のプログラム、およびそれを記録したコンピュータ読み取り可能な記録媒体も、本発明の範疇に入る。
【０１４８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０１４９】
本発明は、視聴中のコンテンツに関連する情報を表示するシステムに利用することができる。
【符号の説明】
【０１５０】
１  通信システム
１０  ＴＶ受信機（受信装置）
１６  出力部（キーワード表示手段、検索結果表示手段）
２０  ポータルサーバ（情報提供装置）
２３  記憶部
３０  連携サーバ（コンテンツ関連情報サーバ）
４０  外部サーバ
１２１  選局指示部
１２２  チャンネル情報作成部（視聴状況送信手段）
１２３  ブラウザ部（キーワード受信手段、キーワード取得手段、検索結果取得手段）
２２１  チャンネル情報取得部（視聴状況取得手段）
２２２  番組関連情報取得部（キーワード取得手段）
２２３  ページ作成部（キーワード送信手段、検索結果取得手段、検索結果送信手段、管理手段、自動ログイン実行手段）
【図１】
2015231208.tif 000003
【図２】
2015231208.tif 000004
【図３】
2015231208.tif 000005
【図４】
2015231208.tif 000006
【図５】
2015231208.tif 000007
【図６】
2015231208.tif 000008
【図７】
2015231208.tif 000009
【図８】
2015231208.tif 000010
【図９】
2015231208.tif 000011
【図１０】
2015231208.tif 000012
【図１１】
2015231208.tif 000013
【図１２】
2015231208.tif 000014
【図１３】
2015231208.tif 000015
【図１４】
2015231208.tif 000016
【図１５】
2015231208.tif 000017
【図１６】
2015231208.tif 000018
【図１７】
2015231208.tif 000019
【図１８】
2015231208.tif 000020
【図１９】
2015231208.tif 000021